(57)【要約】【課題】グリップを握り易くして、安定した状態で持つことができるグリップボトルを提供する。【解決手段】収容空間を形成する胴部４に内方へ窪む第１、第２の胴凹部２０、２０が形成されており、これら２つの胴凹部２０、２０の一部と当該両胴凹部２０、２０間で外方へ張り出す張出部２１とでグリップ２２が構成されているグリップボトル１であり、グリップ２２におけるグリップ周りの平断面周長Ｓを、１００mm〜１９０mmとすると共に、グリップ２２の平断面におけるグリップ幅Ｔを、４０mm〜８０mmとすることで、握り寸法に沿ったものとし、握り易くした。【選択図】図６
2014019463.tif 000002
【特許請求の範囲】
【請求項１】
収容空間を形成する容器本体に内方へ窪む第１、第２の胴凹部が形成されており、これら２つの胴凹部の一部と当該両胴凹部間で外方へ張り出す張出部とでグリップが構成されているグリップボトルにおいて、
前記グリップにおけるグリップ周りの平断面周長が１００mm〜１９０mmであることを特徴とするグリップボトル。
【請求項２】
前記グリップの平断面における、前記第１の胴凹部側頂部から前記第２の胴凹部側頂部間のグリップ幅をＴとし、当該第１の胴凹部の底部から当該第２の胴凹部の底部間の寸法をｄとするときに次式を満たしていることを特徴とする請求項１に記載のグリップボトル。
（ｄ／Ｔ）＝０．０１〜０．５０
【請求項３】
前記グリップの平断面における、前記第１の胴凹部側頂部から前記第２の胴凹部側頂部間のグリップ幅が４０mm〜８０mmであることを特徴とする請求項１又は２に記載のグリップボトル。
【請求項４】
前記第１、第２の胴凹部の底部が内方へ向かう平断面湾曲状に形成されており、前記グリップ周りの平断面周長は、当該第１の胴凹部の底部の湾曲頂部から前記張出部を経て当該第２の胴凹部の底部の湾曲頂部までの長さであることを特徴とする請求項１〜３のいずれかに記載のグリップボトル。
【請求項５】
前記第１、第２の胴凹部の底部が略平面状に形成されており、前記グリップ周りの平断面周長は、当該第１の胴凹部の底部の張出側端部から前記張出部を経て当該第２の胴凹部の底部の張出側端部までの長さであることを特徴とする請求項１〜３のいずれかに記載のグリップボトル。
【請求項６】
前記グリップ幅が、グリップ軸方向上側、軸方向中央、及び軸方向下側のいずれかへ向かうに従って減少していることを特徴とする請求項２〜５のいずれかに記載のグリップボトル。
【請求項７】
前記グリップは複数の平断面Ｒ状部を有しており、当該各平断面Ｒ状部のＲ寸法が５mm以上であることを特徴とする請求項１〜６のいずれかに記載のグリップボトル。
【請求項８】
前記グリップは複数の平断面Ｒ状部のみで構成されていることを特徴とする請求項１〜７のいずれかに記載のグリップボトル。
【発明の詳細な説明】
【技術分野】
【０００１】
本発明は、飲料物や酒、醤油などを入れるボトルに関し、容器本体に内方へ窪む２つの胴凹部を形成することでグリップが構成されているグリップボトルに関する。
【背景技術】
【０００２】
内容物が充填された大容量のボトルでは、重量が大きくなることに加え、容器寸法も大型となるため、片手で持ち易いようなグリップ機能が付加されたものが普及している。容器本体に、別体の取手部材を取り付けたグリップボトルがあるが、このようなボトルは、取手部材の分だけ樹脂量が増加することや、取手部材を取り付けるための工程を要することなどから、製造コストが増大する。これを解決するものとして、収容空間を形成する容器本体に内方へ窪む２つの胴凹部が形成され、これら２つの胴凹部の一部と当該両胴凹部間で外方へ張り出す張出部とでグリップが構成されたグリップボトルが知られている。
【０００３】
このグリップボトルは、取手を取り付ける工程が不要であり、成形がし易いため、製造コストの上昇を抑えることが可能である。かかるグリップボトルでは、容器本体に形成された２つの胴凹部間に指先を入れ、両胴凹部間で形成された張出部を包み込むように握ることで、容易に持つことができるといった点が好まれている。
【０００４】
例えば、特許文献１には、容器本体の胴部に、その周りに沿う対向領域に凹部を形成し、その相互間の全領域を把持部とする容器であって、両側の凹部に、容器を把持する際の引っ掛かり部分を形成する２段階の段差を設けたグリップボトルが記載されている。この文献によれば、容器本体の胴部に設けた凹部を２段階の段差で区画したので、指先に力を入れることなしに確実な保持が可能となるものとされている。
【先行技術文献】
【特許文献】
【０００５】
【特許文献１】特許３８３９６７２号公報
【発明の概要】
【発明が解決しようとする課題】
【０００６】
特許文献１のグリップボトルにおける凹部とその相互間の全領域とで構成したグリップでは、凹部に形成された段差部分に例えば第１指や第２指の上縁をあてがって持つことが考えられる。しかし、凹部の上部に指を引っ掛けることができても、グリップを握った際、両側の凹部に指が入り込み過ぎることや、或いは指の入り込み量が少なすぎることで握り難さが生じる。そのため、引っ掛かっている指にかえって過大な負担がかかり、安定した状態で大容量のグリップボトルを持つことができないといった問題がある。
【０００７】
そこで本発明は、上記従来技術の問題点に鑑み、グリップを握り易くして、安定した状態で持つことができるグリップボトルを提供することを目的とする。
【課題を解決するための手段】
【０００８】
上記目的を達成するため、次の技術的手段を講じた。
即ち本発明は、収容空間を形成する容器本体に内方へ窪む第１、第２の胴凹部が形成されており、これら２つの胴凹部の一部と当該両胴凹部間で外方へ張り出す張出部とでグリップが構成されているグリップボトルにおいて、前記グリップにおけるグリップ周りの平断面周長が１００mm〜１９０mmであることを特徴とする。
【０００９】
上記本発明のグリップボトルによれば、容器本体に内方へ窪む第１、第２の胴凹部の一部と当該両胴凹部間で外方へ張り出す張出部とで構成されたグリップのグリップ周りの平断面周長が１００mm〜１９０mmであることによって、グリップが、第１指の末節から第２指の末節、第１指の末節から第３指の末節などに渡る握り寸法に沿ったものとなる。従って、グリップボトルを持つときの握り易さが非常に良好なものとなり、指に過大な負担がかかることもなく、安定した状態で持つことができる。
【００１０】
前記グリップの平断面における、前記第１の胴凹部側頂部から前記第２の胴凹部側頂部間のグリップ幅をＴとし、当該第１の胴凹部の底部から当該第２の胴凹部の底部間の寸法をｄとするときに次式を満たしていることが好ましい。
（ｄ／Ｔ）＝０．０１〜０．５０
【００１１】
グリップ幅Ｔと２つの胴凹部の底部間寸法ｄとが上記の式を満たしていれば、グリップ幅に対する２つの胴凹部の深度が調整され、当該両胴凹部が深く入り込むことになる。これにより、グリップボトルを持つときの握り易さがさらに良好なものとなり、指に過大な負担がかからず、より安定した状態で持つことができる。
【００１２】
前記グリップの平断面における、前記第１の胴凹部側頂部から前記第２の胴凹部側頂部間のグリップ幅が４０mm〜８０mmであることが好ましい。グリップ幅を、４０mm〜８０mmの範囲とすれば、グリップを握った際に、第１、第２の胴凹部へ指を確実に回し込むことができる。これにより、力をかけ易くなり、グリップボトルを持つ際の安定感を高めることができる。
【００１３】
前記第１、第２の胴凹部の底部は多様な形状を採用することができ、前記第１、第２の胴凹部の底部が内方へ向かう平断面湾曲状に形成されており、前記グリップ周りの平断面周長は、当該第１の胴凹部の底部の湾曲頂部から前記張出部を経て当該第２の胴凹部の底部の湾曲頂部までの長さとなっているものが挙げられる。
【００１４】
この場合には、第１、第２の胴凹部の底部が内方へ向かう湾曲状に形成されていることから、グリップを握った際に指先を位置決めした状態でグリップを握ることができ、それと共にグリップボトルを持つときの握り易さが非常に良好なものとなり、指に過大な負担がかかることもなく、安定した状態で持つことができる。
【００１５】
前記第１、第２の胴凹部の底部が略平面状に形成されており、前記グリップ周りの平断面周長が、当該第１の胴凹部の底部の張出側端部から前記張出部を経て当該第２の胴凹部の底部の張出側端部までの長さとなっているものが挙げられる。
【００１６】
この場合、第１、第２の胴凹部の底部が略平面状に形成されていることから、グリップを握った際に、力を入れ易い箇所に指先の位置を調整でき、それと共にグリップボトルを持つときの握り易さが非常に良好なものとなり、指に過大な負担がかかることもなく、安定した状態で持つことができる。
【００１７】
前記グリップ幅を、グリップ軸方向上側、軸方向中央、及び軸方向下側のいずれかへ向かうに従って減少させるようにしてもよい。グリップ幅を軸方向位置によって変化させれば、力をかけ易くなることで持ち易くなり、それと共に意匠性を変えることができる。
【００１８】
前記グリップは複数の平断面Ｒ状部を有しており、当該各平断面Ｒ状部のＲ寸法が５mm以上であることが好ましい。グリップの例えば幅方向両側部分をなす複数の平断面Ｒ状部のＲ寸法を、５mm以上とすれば、グリップを握った時の感覚が良好となり、大容量のものであっても手が痛くならないようにすることができる。
【００１９】
前記グリップが、複数の平断面Ｒ状部のみで構成されているものであってもよい。グリップを、複数の平断面Ｒ状部のみで構成すれば、丸棒を掴む感覚により近づき、グリップを握ったときの手に伝わる感覚を向上させることができる。
【発明の効果】
【００２０】
上記の通り、本発明によれば、容器本体に内方へ窪む第１、第２の胴凹部の一部と当該両胴凹部間で外方へ張り出す張出部とで構成されたグリップのグリップ周りの平断面周長が１００mm〜１９０mmであることによって、グリップが握り寸法に沿ったものとなる。従って、グリップボトルを持つときの握り易さが非常に良好なものとなり、指に過大な負担がかかることもなく、安定した状態で持つことができる。
【図面の簡単な説明】
【００２１】
【図１】本発明の第１実施形態に係るグリップボトルの背面図である。
【図２】第１実施形態に係るグリップボトルの側面図である。
【図３】第１実施形態に係るグリップボトルの正面図である。
【図４】第１実施形態に係るグリップボトルのコンピュータグラフィックで表した側面図、背面図及び斜視図である。
【図５】第１実施形態に係るグリップボトルの図２Ａ−Ａ線断面図である。
【図６】第１実施形態に係るグリップボトルの図３Ｂ−Ｂ線断面図である。
【図７】本発明の第２実施形態に係るグリップボトルのコンピュータグラフィックで表した側面図、背面図及び斜視図である。
【図８】第２実施形態に係るグリップボトルの断面図である。
【図９】本発明の第３実施形態に係るグリップボトルのコンピュータグラフィックで表した側面図、背面図及び斜視図である。
【図１０】第３実施形態に係るグリップボトルの断面図である。
【図１１】本発明の第４実施形態に係るグリップボトルのコンピュータグラフィックで表した側面図、背面図及び斜視図である。
【図１２】第４実施形態に係るグリップボトルの上部断面図である。
【図１３】第４実施形態に係るグリップボトルの下部断面図である。
【図１４】本発明の第５実施形態に係るグリップボトルのコンピュータグラフィックで表した側面図、背面図及び斜視図である。
【図１５】第５実施形態に係るグリップボトルの断面図である。
【図１６】本発明の第６実施形態に係るグリップボトルのコンピュータグラフィックで表した側面図、背面図及び斜視図である。
【図１７】第６実施形態に係るグリップボトルの上部断面図である。
【図１８】第６実施形態に係るグリップボトルの下部断面図である。
【図１９】本発明の第７実施形態に係るグリップボトルのコンピュータグラフィックで表した側面図、背面図及び斜視図である。
【図２０】第７実施形態に係るグリップボトルの上部断面図である。
【図２１】第７実施形態に係るグリップボトルの下部断面図である。
【発明を実施するための形態】
【００２２】
以下、本発明の実施形態について図面を参照して説明する。図１は本発明の第１実施形態に係るグリップボトル１の背面図であり、図２はグリップボトル１の側面図であり、図３はグリップボトル１の正面図であり、図４はグリップボトル１のコンピュータグラフィックで表した側面図、背面図及び斜視図である。以下の説明において、図１上下に対応する方向を単に上下とし、この方向に直交する方向を左右とする。グリップボトル１は、ポリエチレンテレフタレート、ポリブチレンテレフタレート、ポリエチレンナフタレートなどの熱可塑性樹脂で２軸延伸ブロー成形などの成形法によって成形されたものである。グリップボトル１の層構造は限定するものではなく、単層構造以外に、内外層間の中間層にバリヤー層を挟んだ複数構造とすることができ、更には、複数の樹脂をブレンドしたもので単層、複層構造としたものであってもよい。
【００２３】
本実施形態のグリップボトル１は、上下全長：約４００mm、最大経：約１４０mmの大容量に構成されているものであり、キャップが装着される口部２と、この口部２から下方に向けて広がるショルダー部３と、このショルダー部３から略同径で下方へ向かって長く形成されて容器本体を構成する略円筒状の胴部４と、この胴部４の下側の底部５とで構成されている。
【００２４】
口部２は、上端から下端まで略同径に形成された円筒状の筒状体２ａに、雄ねじ２ｂやサポートリング２ｃなどが設けられて構成されており、当該口部２にキャップが装着されてグリップボトル１が密閉される。
【００２５】
ショルダー部３の周囲には、複数の平面状部６が周方向に連なって形成されており、グリップボトル１の意匠性を向上させている。各平面状部６は、軸芯を中心として４０°の角度をもって広がっており、直線で形成された左右両辺６ａと曲面で形成された上下に膨らむ上下両辺６ｂで構成されている。
【００２６】
ショルダー部３と胴部４との境目には、第１環状凹部７が形成されており、この第１環状凹部７がショルダー部３と胴部４とを区画している。また、胴部４とその下側の底部５との境目にも、同様の凹部として第２環状凹部８が形成されており、この第２環状凹部８が胴部４と底部５とを区画している。底部５の周囲は軸方向断面アール状となっており、設置面５ａの内側は内方へ窪んでいる。
【００２７】
本実施形態の胴部４は、内部に大容量の収容空間を有している。この胴部４は、正面側半体の正面部１０と、背面側半体の背面部１１とに大きく分けられており、図３のように正面部１０には、ラベルを添付するためにラベル領域１２が四方形状に形成されている。このラベル領域１２の表面１２ａは、胴部４の外面４ａと略面一となっており、当該ラベル領域１２の周囲には、当該ラベル領域１２と他の部分を区画する区画凹部１３が形成されている。この区画凹部１３の幅は、第１環状凹部７や第２環状凹部８の幅よりも広くなっている。ラベル領域１２は、グリップボトル１の半体である正面部１０に大きく広がって形成されており、当該グリップボトル１に、商品名などが表示されたラベルを添付するための広い領域が確保されている。図２のようにラベル領域１２を区画する区画凹部１３の下側部分が背面部１１の中途へ延びており意匠性を向上させている。
【００２８】
胴部４の背面部１１には、内方へ窪んだ同形状の第１、第２の胴凹部２０、２０が形成されており、これら２つの胴凹部２０、２０の一部と当該両胴凹部２０、２０間で外方へ張り出す張出部２１とで縦長のグリップ２２が構成されている。図５はグリップボトル１の図２Ａ−Ａ線断面図である。図２及び図５に示すように、各胴凹部２０は全体として、内方へ窪んでいるところから外方へ向かって外側へ広がように形成されており、最も深い部分である底部２６と、この底部２６の周囲に形成された内側面２７と、この内側面２７の外側に形成された外側面２８とで構成されている。
【００２９】
図６はグリップボトル１の図３Ｂ−Ｂ線断面図である。同図において、グリップ２２は左右対称に形成されている。底部２６は、軸方向に細長く内方へ向かう平断面湾曲状に形成されている。底部２６が内方へ向かう平断面湾曲状に形成されているので、指先を位置決めした状態でグリップ２２を握ることができる。図２のように、各胴凹部２０の内側面２７は、上下の上内側面３０、下内側面３１、及びラベル領域側の内内側面３２、張出部側の外内側面３３からなっている。各胴凹部２０の外側面２８は、上下の上外側面３５、下外側面３６、及びラベル領域側の内外側面３７、張出部側の外外側面３８からなっている。内側面２７、外側面２８は、共に外方へ向かうに従って外側へ広がるように形成されている。
【００３０】
図５に示すように、底部２６の周囲に形成された内側面２７の上内側面３０が、軸芯と直交する直交線ｇ（以下、直交線ｇ）となす角度θ１は３０°であり、下内側面３１が、直交線ｇとなす角度θ２は３８°となっている。このように、上内側面３０は、下内側面３１よりも急な角度で傾斜している。図６に示すように、底部２６の周囲に形成された内内側面３２が底部２６の湾曲頂部２６ａを通る中央線（以下、中央線ｘ）となす角度θ３は１５°であり、外内側面３３が中央線ｘとなす角度θ４は２５°となっている。このように、内内側面３２は、外内側面３３よりも急な角度で傾斜している。内内側面３２が中央線ｘとなす角度θ３は５°〜３０°が好ましく、外内側面３３が中央線ｘとなす角度θ４は５°〜３０°が好ましい。内内側面３２と外内側面３３がこの範囲の角度で傾斜していれば、グリップ２２の良好な握り易さを得ることができる。本実施形態では、上内側面３０が下内側面３１よりも急な角度で傾斜しているが、当該上内側面を下内側面よりも緩やかな角度で傾斜させてもよく、当該両内側面を同じ角度で傾斜させてもよい。
【００３１】
内側面２７の更に周囲に形成された外側面２８の上外側面３５、下外側面３６、及び内外側面３７は、それぞれ内側面２７の対応する上内側面３０、下内側面３１、及び内内側面３２によりも緩やかな角度で傾斜している。従って、各胴凹部２０は、底部２６から内側面２７で外側へ拡がり、続いて外側面２８で更に外側へ広がっており、当該底部２６から２段階で外側へ拡がり、胴部４の他の部分へ繋がっている。
【００３２】
図２に示すように、上内側面３０の上下幅は下内側面３１よりも狭く、内内側面３２の左右幅は外内側面３３よりも広い。また、上外側面３５と下外側面３６は互いに略同じ上下幅となっており、内外側面３７は上下に細長くなっている。
【００３３】
外側面２８の外外側面３８は、図４や図６から解るように各胴凹部２０の一部を構成するものの、機能的には内側面２７の外内側面３３と一体となって、グリップ２２の一部を構成している。つまり、外側面２８の外外側面３８と、内側面２７の外内側面３３とは一体となって、底部２６、内側面２７の上内側面３０、下内側面３１、内内側面３２、外側面２８の上外側面３５、下外側面３６、内外側面３７と区画された部分となっている。
【００３４】
内側面２７の上内側面３０、下内側面３１、内内側面３２は、外外側面３８及び外内側面３３と区画されていることから、側面視逆コの字状となっている。同様に、外側面２８の上外側面３５、下外側面３６、内外側面３７も、外外側面３８及び外内側面３３と区画されていることから、側面視逆コの字状となっている。
【００３５】
図６の断面図に示すように、底部２６は湾曲状であり、この底部２６から外方へ向かって内内側面３２が直線状に延びると共に、外内側面３３が滑らかな曲線状に延びている。２つの胴凹部２０、２０の外外側面３８及び外内側面３３と、当該両胴凹部２０、２０間で外方へ張り出す張出部２１とでグリップ２２が構成されている。
【００３６】
本実施形態のグリップ２２は、図１に示すように上端２２ａから下端２２ｂまで同じ左右幅で形成されている。図６において、第１の胴凹部２０の底部２６の湾曲頂部２６ａから張出部２１を経て第２の胴凹部２０の底部２６の湾曲頂部２６ａまで（以下、湾曲頂部間範囲）とされるグリップ周りの仮想線で示す平断面周長Ｓは、本実施形態では１４８mmとなっている。グリップ周りの平断面周長Ｓは、１００mm〜１９０mmの範囲であることが好ましく、１３０mm〜１６０ｍｍの範囲であることがより好ましい。
【００３７】
グリップ周りの平断面周長Ｓは、第１指の末節から第２指の末節、第１指の末節から第３指の末節、第１指の末節から他の指の末節に渡る握り寸法に沿ったものとなっている。グリップ２２が、第１指の末節から第２指の末節、第１指の末節から第３指の末節などに渡る握り寸法に沿ったものとなっていれば、グリップボトル１を持つときの握り易さが非常に良好なものとなり、指に過大な負担がかかることもなく、安定した状態で持つことができる。
【００３８】
グリップ周りの平断面周長Ｓが１９０mmを上回ると、良好に握れる握り寸法から外れたものとなり、指先が各胴凹部２０の底部２６まで周りきらずに握り難くなり、平断面周長Ｓが１００mmを下回ると、良好に握れる握り寸法から外れたものとなり、指先が各胴凹部２０の底部２６につかえる感じを生じさせるからである。
【００３９】
図６に示すように、グリップ２２の平断面における、第１の胴凹部側頂部ｃ１から第２の胴凹部側頂部ｃ２間の本実施形態におけるグリップ幅Ｔ（以下、グリップ幅Ｔ）は５４ｍｍとなっている。グリップ幅Ｔは４０mm〜８０mmの範囲となっていることが好ましい。ここでいうグリップ幅Ｔとは、グリップ２２の両側の最も外側にある頂部間を図１背面視において軸芯と直交する線で結んだ寸法のことである。グリップ幅Ｔのより好ましい範囲は５０mm〜６５mmである。グリップ幅Ｔが４０mmを下回ると、手をかける幅が狭すぎて安定して握れなくなり、グリップ幅Ｔが８０mmを上回ると、手をかける幅が広すぎて力を入れ難くなるからである。
【００４０】
更に、グリップ周りの平断面周長Ｓと、第１の胴凹部側頂部ｃ１から第２の胴凹部側頂部ｃ２間のグリップ幅Ｔとは、握り易さに関して互いに深く関係しており、特に、平断面周長Ｓとグリップ幅Ｔとを最適な組み合わせとすることで、両若男女を問わず、これまでになかった握り易さや、力のかけ易さ、持つ時の良好な安定感などを得ることができる。より具体的には、グリップ周りの平断面周長Ｓが１２０mm〜１３０mmに対して、グリップ幅Ｔが５０mm〜５５mmであり、グリップ周りの平断面周長Ｓが１４０mm〜１５０mmに対して、グリップ幅Ｔが５５mm〜６５mmである。これら両範囲の組み合わせによって、極めて良好な握り易さなどを得ることができる。
【００４１】
図６のように各胴凹部２０は胴部４の内方へ深く入り込んでいる。両胴凹部２０、２０の底部２６、２６間は狭くなっており、グリップ幅Ｔと、両胴凹部２０、２０の底部２６、２６間の平断面寸法ｄ１（ｄ）と、が次式を満たしている。
（ｄ１／Ｔ）＝０．０１〜０．５０
また、（ｄ１／Ｔ）のより好ましい範囲は、０．０１〜０．３０である。
【００４２】
グリップ幅Ｔと２つの胴凹部２０、２０の底部２６、２６間寸法ｄ１とが上記の式を満たしていれば、グリップ幅Ｔに対する２つの胴凹部２０、２０の深度が調整され、当該両胴凹部２０、２０が深く入り込むことになる。より具体的には、両胴凹部２０、２０の底部２６、２６間の平断面寸法ｄ１は１mm〜４０mmである。グリップ幅Ｔを適切に調整すると共に、両胴凹部２０、２０の底部２６、２６間を狭くして当該両胴凹部２０、２０を深く入り込ませることは、握り易さの点から非常に重要である。グリップ２２を握ったときに第１指の末節と第２指の末節等とが近づくことや、グリップ２２を手全体で包み込むような状態となること等によって、グリップボトル１を持ったときの高い安定感を生じさせることができる。
【００４３】
本実施形態のグリップ２２は、複数の平断面Ｒ状部のみで構成されており、当該複数の平断面Ｒ状部のＲ寸法が５mm以上となっている。グリップ２２は図６からも解るように平断面で全体として滑らかな曲線で囲まれており、グリップ周りの全ての周面２３がＲ状となっている。周面２３は、最も外方にある中央Ｒ状部２３ａとその両側の側Ｒ状部２３ｂなどを有し、中央Ｒ状部の好ましいＲ寸法は５mm以上であり、側Ｒ状部の好ましいＲ寸法は５mm以上となっている。グリップ周りの周面２３の平断面Ｒ状の部分で、Ｒ寸法が５mmを下回る部分があると、握り難さを生じてしまうからである。
【００４４】
本実施形態では、全ての平断面Ｒ状部のＲ寸法が５mm以上となっているため、手を添えた時の感覚が良好となり、大容量のものであっても手が痛くならないようにすることができる。更に、丸棒を掴む間隔に近づき、手に伝わる感覚をより向上させることができる。
【００４５】
張出部２１の最も外方にある外面２１ａ（中央Ｒ状部２３ａ）に沿って描かれる円は、軸芯を中心として胴部４の外面４ａに沿って描かれる仮想円Ｐに略一致しており、当該仮想円Ｐ上に、当該外面２１ａが略重なっている。張出部２１がかかる平断面位置に形成されていることから、グリップ２２が平断面において最適な位置に存在することになり、グリップボトル１を持つ際の良好なバランス感を得ることができる。
【００４６】
上記本実施形態のグリップボトル１によれば、胴部４に内方へ窪む第１、第２の胴凹部２０、２０の一部と当該両胴凹部２０、２０間で外方へ張り出す張出部２１とで構成されたグリップ２２のグリップ周りの平断面周長Ｓが、１００mm〜１９０mmであることによって、グリップ２２が第１指の末節から第２指の末節、第１指の末節から第３指の末節などに渡る握り寸法に沿ったものとなる。従って、グリップボトル１を持つときの握り易さが非常に良好なものとなり、指に過大な負担がかかることもなく、安定した状態で持つことができる。
【００４７】
グリップ幅Ｔを適切に調整すると共に、両胴凹部２０、２０の底部２６、２６間を狭くして当該両胴凹部２０、２０を深く入り込ませているので、グリップ２２を握ったときに第１指の末節と第２指の末節などが近づき、グリップ２２を手全体で包み込むような状態となる。これにより、握り易さがさらに良好なものとなり、指に過大な負担がかからず、グリップボトル１を持ったときの高い安定感を生じさせることができる。
【００４８】
グリップ２２の平断面におけるグリップ幅Ｔが４０mm〜８０mmであることによって、グリップ２２を握った際に、第１、第２の胴凹部２０、２０へ指を確実に回し込むことができる。これにより、力をかけ易くなり、グリップボトル１を持つ際の安定感を高めることができる。
【００４９】
以下、本発明にかかる他の実施形態について例示して説明する。図７は本発明の第２実施形態に係るグリップボトル１００のコンピュータグラフィックで表した側面図、背面図及び斜視図であり、図８は本実施形態に係るグリップボトル１００の断面図である。本実施形態のグリップ周りの平断面周長Ｓは１２４mmであり、グリップ幅Ｔは５４mmであり、底部１０１間の平断面寸法ｄ１は１６mmである。このグリップボトル１００では、底部１０１が略平断面に形成され、グリップ１０２が、第１の胴凹部１０３の底部１０１の張出側端部から張出部１０４を経て第２の胴凹部１０５の底部１０１の張出側端部までの仮想線で示す範囲（以下、張出側端部間範囲）で構成されている。グリップ周りの平断面周長Ｓは同範囲の長さとなっている。底部１０１が略平面状に形成されていることから、グリップ１０２を握った際に、力を入れ易い箇所に指先の位置を調整できる。グリップ１０２は、第１実施形態のグリップ２２よりも平断面偏平状となっている。
【００５０】
図９は本発明の第３実施形態に係るグリップボトルのコンピュータグラフィックで表した側面図、背面図及び斜視図であり、図１０は本実施形態に係るグリップボトル１２０の断面図である。本実施形態のグリップ周りの平断面周長Ｓは１２６mmであり、グリップ幅Ｔは５４mmであり、底部１２１間の平断面寸法ｄ１は１６mmとなっている。このグリップボトル１２０では、底部１２１が略平断面に形成され、グリップ１２２が、張出側端部間範囲で構成されており、グリップ周りの平断面周長Ｓは同範囲の長さとなっている。グリップボトル１２０は、第１実施形態のグリップボトル１のグリップ２２よりも平断面偏平状となっている。
【００５１】
図１１は本発明の第４実施形態に係るグリップボトル１３０のコンピュータグラフィックで表した側面図、背面図及び斜視図であり、図１２は本実施形態に係るグリップボトル１３０の上部断面図であり、図１３は本実施形態に係るグリップボトル１３０の下部断面図である。本実施形態のグリップ上部のグリップ周りの平断面周長Ｓは１４２mmであり、グリップ幅Ｔは６１mmであり、底部１３１間の平断面寸法ｄ１は１６mmとなっており、グリップ下部のグリップ周りの平断面周長Ｓは１２７mmであり、グリップ幅Ｔは５２mmであり、底部１３１間の平断面寸法ｄ１は１６mmとなっている。このグリップボトル１３０では、底部１３１が略平断面に形成され、グリップ１３２が、張出側端部間範囲で構成されており、グリップ周りの平断面周長Ｓは同範囲の長さとなっている。
【００５２】
グリップ１３２の下部には、幅広部分が形成されている。本実施形態のグリップボトル１３０では、グリップ１３２が軸方向下側に向かうに従って幅狭となっており、グリップ幅Ｔが軸方向下側へ向かうに従って減少している。このような形状のグリップ１３２を採用すれば、グリップボトル１３０を持ち上げる際に、手の滑りが抑えられて力をかけ易くできる。そのため、より大容量とした場合に、持ち上げ易くすることができる。
【００５３】
グリップ形状の他の例として、グリップを軸方向上側に向かうに従って幅狭として、グリップ幅Ｔを軸方向上側へ向かうに従って減少させてもよい。このような形状のグリップを採用すれば、グリップボトルを持ち上げる際に、グリップの上部に指を回し込み易くなる。これにより、例えばグリップボトルを手で完全に保持するのではなく、指を掛けてぶら下げるような半持ち状態にし易くなる。さらに、グリップを軸方向中央に向かうに従って幅狭として、グリップ幅Ｔを軸方向中央へ向かうに従って減少させてもよい。このような形状のグリップを採用すれば、グリップの中央部に指を回し込み易くなり、グリップに対する手の軸方向へのずれを防ぐことができる。
【００５４】
図１４は本発明の第５実施形態に係るグリップボトル１４０のコンピュータグラフィックで表した側面図、背面図及び斜視図であり、図１５は本実施形態に係るグリップボトル１４０の断面図である。本実施形態のグリップ周りの平断面周長Ｓは１４９mmであり、グリップ幅Ｔは６０mmであり、底部１４１間の平断面寸法ｄ１は１６mmとなっている。このグリップボトル１４０では、底部１４１が湾曲状に形成され、グリップ１４２が、湾曲頂部間範囲で構成されており、グリップ周りの平断面周長Ｓは同範囲の長さとなっている。
【００５５】
図１６は本発明の第６実施形態に係るグリップボトル１５０のコンピュータグラフィックで表した側面図、背面図及び斜視図であり、図１７は本実施形態に係るグリップボトル１５０の上部断面図であり、図１８は本実施形態に係るグリップボトル１５０の下部断面図である。本実施形態のグリップ上部のグリップ周りの平断面周長Ｓは１４９mmであり、グリップ幅Ｔは６１mmであり、底部１５１間の平断面寸法ｄ１は１６mmとなっており、グリップ下部のグリップ周りの平断面周長Ｓは１３６mmであり、グリップ幅Ｔは５３mmであり、底部１３１間の平断面寸法ｄ１は１６mmとなっている。このグリップボトル１５０では、底部１５１が湾曲状に形成され、グリップ１５２が、湾曲頂部間範囲で構成されており、グリップ周りの平断面周長Ｓは同範囲の長さとなっている。
【００５６】
グリップ１５２の下端部は、軸方向下方に向かってなだらかに広がる形状となっている。本実施形態のグリップボトル１５０では、グリップ１５２が軸方向下側に向かうに従って幅狭となっており、グリップ幅Ｔが軸方向下側へ向かうに従って減少している。このような形状のグリップ１５２を採用すれば、グリップボトル１５０を持ち上げる際に、手の滑りが抑えられて力をかけ易くなる。そのため、より大容量とした場合に、持ち上げ易くすることができる。また、グリップ１５２の下端部が、軸方向下方に向かってなだらかに広がる形状となっており、握った際の手に伝わる感覚が良好となり、意匠性を変えることができる。
【００５７】
図１９は本発明の第７実施形態に係るグリップボトル１６０のコンピュータグラフィックで表した側面図、背面図及び斜視図であり、図２０は本実施形態に係るグリップボトル１６０の上部断面図であり、図２１は本実施形態に係るグリップボトル１６０の下部断面図である。本実施形態のグリップ上部のグリップ周りの平断面周長Ｓは１４９mmであり、グリップ幅Ｔは６１mmであり、底部１３１間の平断面寸法ｄ１は１０mmとなっており、グリップ下部のグリップ周りの平断面周長Ｓは１３４mmであり、グリップ幅Ｔは５２mmであり、底部１６１間の平断面寸法ｄ１は１０mmとなっている。このグリップボトル１６０では、底部１６１が略平断面に形成され、グリップ１６２が、張出側端部間範囲で構成されており、グリップ周りの平断面周長Ｓは、同範囲の長さとなっている。
【００５８】
このグリップボトル１６０では、底部１６１間の平断面寸法ｄ１がより狭くなっている。底部１６１間の平断面寸法ｄ１が狭くなっていることから、握ったときに第１指の末節と第２指の末節などが近づくことになって安定感が生じる。グリップ１６２の下部には、幅広部分が形成されている。本実施形態のグリップボトル１６０では、グリップ１６２が軸方向下側に向かうに従って幅狭となっており、グリップ幅Ｔが軸方向下側へ向かうに従って減少している。このような形状のグリップ１６２を採用すれば、グリップボトル１６０を持ち上げる際に、手の滑りが抑えられて力をかけ易くなる。そのため、より大容量とした場合に、持ち上げ易くすることができる。
【００５９】
上記で開示した各実施形態のグリップボトルは、本発明を例示したものであり、口部、胴部、底部の形状、寸法、構成する樹脂、成形方法等は適宜変更されるものである。第１、第２の胴凹部を互いに異なる形状として、グリップを左右非対称に形成してもよい。本実施形態では、容器本体を構成する胴部の形状を円筒状としたが、断面四角形や三角形、楕円形などの他の断面形状に形成して本発明を適用してもよい。グリップ形状を軸方向に沿って波打ち状としてもよい。この場合には、グリップを握ったときのそれぞれの指のずれが無くなり、それぞれの指にグリップボトルの荷重を直接掛けることができ、グリップボトルを持ったときの感触を変えることができる。グリップの張出部や、第１、第２の胴凹部の所要箇所にリブを形成してもよい。具体的には、グリップの張出部に、軸方向と直交方向に沿って数本のリブを形成すること等が挙げられる。胴部の形状や容量、或いは消費者の年齢、性別などに対応させて、グリップ周りの平断面周長Ｓ、グリップ幅Ｔ、グリップの形状などを変更すればよい。
【符号の説明】
【００６０】
１    グリップボトル
２    口部
４    胴部
５    底面
１０  正面部
１１  背面部
２０  各胴凹部
２１  張出部
２２  グリップ
２３  周面
２３ａ  中央Ｒ状部
２３ｂ  側Ｒ状部
２６  底部
２６ａ  湾曲頂部
２７  内側面
２８  外側面
３０  上内側面
３１  下内側面
３２  内内側面
３３  外内側面
３５  上外側面
３６  下外側面
３７  内外側面
３８  外外側面
Ｓ    平断面周長
Ｔ    グリップ幅
ｃ１  第１の胴凹部側頂部
ｃ２  第２の胴凹部側頂部
ｄ１  平断面寸法
Ｐ    仮想円
【図１】
2014019463.tif 000003
【図２】
2014019463.tif 000004
【図３】
2014019463.tif 000005
【図５】
2014019463.tif 000006
【図６】
2014019463.tif 000007
【図８】
2014019463.tif 000008
【図１０】
2014019463.tif 000009
【図１２】
2014019463.tif 000010
【図１３】
2014019463.tif 000011
【図１５】
2014019463.tif 000012
【図１７】
2014019463.tif 000013
【図１８】
2014019463.tif 000014
【図２０】
2014019463.tif 000015
【図２１】
2014019463.tif 000016
【図４】
2014019463.tif 000017
【図７】
2014019463.tif 000018
【図９】
2014019463.tif 000019
【図１１】
2014019463.tif 000020
【図１４】
2014019463.tif 000021
【図１６】
2014019463.tif 000022
【図１９】
2014019463.tif 000023